(57)【要約】      （修正有）【課題】無尽蔵に存在する海水を活用し発電を行ないその発電済後の排海水を無限量に存在する空気の浮力を活用し海中にその大量の排海水を循環排出を行ない、発電が行なわれる海中発電排海水設備全体構想となる。海水温度の高温化阻止を思考し、海水温の低下方法と海水の浄化、確実な水圧対策を行ない永久的に発電が可能となる本物の海中発電を目指す事とする。【解決手段】徹底的な海中浮遊ゴミ、異物の除去を行ない、海中発電設置に依る百年前の美しい海中海水の復元を目指すべきである。【選択図】図１
2015078684.tif 000002
【特許請求の範囲】
【請求項１】
発電船全体の海上海中安定稼動の為に、「海底固定設置筒」の数基設置を行ない完全に海底固定に依る海中発電船稼動が始まると、この海中容器発電船内には、強烈な浮力の緩衝装置としての海上喫水線上と「排海水降下圧流放出口」を結ぶ「浮力緩衝海中海水侵入船中設置筒」の設置を行ない、本海中船の浮力の緩衝に大きく貢献する設備になると同時にこの船中設置筒内に排海水を直接排出さす為に〔図１〕の通り常時海上部分より無尽蔵に供給がされる大容量空気を各々「海水侵入船中設置筒内圧搾排出調整上室，中室」各々室内に又、同様に「高圧空気噴出圧搾活用深海水槽」、同二番排出水槽、等々が設置がされた各高圧空気の噴出活用に依る強烈な排出圧の活用に依る大量の排海水が海中外海へと継続排水が行なわれる事となる。
そして各排出設備装置内の高圧空気排出排海水処理後に充満した高圧空気は、各「噴出空気圧排出調整筒」「高圧空気噴出調整口」各々に排出される事に依り瞬時に大気圧圏内１気圧空間へと還る事となる。
又「船中設置筒内排出専用水槽」よりの「排出回転筒」より排出海水の排出調整は各「侵入排海水放出筒」より「高圧空気噴出緩衝海水放出装置」内に常時排出調整が行なわれる事に依り、「浮力緩衝海中海水侵入船中設置筒」内に流入した排海水の排出圧は常時安定された排出圧が確保される事となり、常時円滑な排海水の処理が行なわれる事となる
「海中海水侵入船中設置筒活用圧搾空気放出排海水設備全体構想」
【発明の詳細な説明】
【技術分野】
【０００１】  海上海中に設置がされた「海中発電船」よりの排出海水を図１の通り無尽蔵の空気の活用を行ない、強力な圧搾排出力に依り、自然に外海へ流れ出るが如く排海水の継続排出となる。【０００２】  本申請は大自然海中に於ける「浮力緩衝海中海水侵入船中設置筒」設置発見に依る自然摂理の活用と無尽蔵の空気双方の活用を行ない、継続された排海水の外海放出を行なう事とする。【０００３】  次の通り図１〜図２にて説明する。【０００４】  発電済後の大量の排海水は大きく２方式の排海水放出処理となる。まず「深海水槽排出筒」より各々「高圧空気噴出圧搾活用深海水槽」内に規定水位迄の排海水の放出を行ない、上部開閉蓋の閉鎖となると、下方設置の「排海水外海放出扉」の開口と同時に各高圧空気噴出機よりの高圧空気噴出に依り、段々と「排海水放出加圧放出装置」より次々と深海外海へと排海水が排出される事となり、排出完了時には、「高圧空気噴出圧搾活用深海水槽」内の排出圧軽減の為に「噴出空気圧排出調整筒」の開口をし、充満した高圧空気の船外放出を行ない、本水槽内は瞬時に大気圧圏内１気圧空間となり、次回分の排海水の侵入が可能となり、侵入排出が繰り返される事となる。
次に「船中設置筒内排出専用水槽」内に流入した排海水は「排出回転筒回転モーター」の稼動に依る「排出回転筒」の排出回転稼動力に依り、順次船内海上喫水線迄の侵入海水が侵入している「浮力緩衝海中海水侵入船中設置筒」内に継続排出がなされる事となり、そしてこの継続排出された排海水は本排海水の「排出回転筒」内への逆侵入等は全く起こり得ない事となる。
〔図１〕の通り「噴出空気活用大気圧圏内排海水調整室」内の各「海上喫水線室」「海水侵入船中設置筒内圧搾排出調整上室」「船中設置筒内圧搾排出調整中室」各々室内での各々高圧空気噴出稼動に依り、強力な噴出空気排出圧搾力の出現となり、逃げ場の無くなった排海水は、最下方の「排海水降下圧流放出口」より自然に押し出される形で外海へと排出の継続となる。
同時に同「排海水降下圧流放出口」上部部分よりの排海水も「深海中高圧空気活用排出装置」内の「排海水放出加圧放出装置」内への排出が行なわれ、上方「海中空間」内への排出が次々と押し出される様に行なわれる事となる。
又無尽蔵の噴出空気圧搾力のより活用を行なう為に、各「侵入排海水放出筒」よりも排海水が直接「高圧空気噴出緩衝海水放出装置」内への放出となり、無尽蔵の噴出空気圧搾力の活用を行ない乍ら大量の排海水の外海排出の継続となり、「排海水侵入排出空気調整扉」の開閉活用に依り、両排出装置の調整も簡単に行える事となり、常時安定した大容量排出装置設備の出現となる。【０００５】
【特許文献】３件  特許第５０３０００７号  登録日  平成２４年７月６日「海水圧高圧噴出発電装置」出願者  島  晴勇  特許第４９９３０２７号  登録日  平成２４年５月１８日「回転扇発電に於ける大容量発電と大量排海水処理の全体構想である」出願者  島  晴勇  特許第４９７４０１７号  登録日  平成２４年４月２０日「扇形浮力船回転式ドラ缶水流発電機」出願者  島  晴勇
【発明の概要】
【発明が解決しようとする課題】  いかに大量の排海水の継続された外海排出方法と強烈な浮力緩衝装置としての同時活用設備装置を思案の決果本排出筒設置方法を発見したものであり、より巨大な「浮力緩衝海中海水侵入船中設置筒」の設置に依り常時安定した浮力水圧の確保が保持される事と同時に本設置筒を排出主力筒として設置稼動が行なわれる事に依り、継続された大容量排出が図１の通り設備設置稼動となり、静かな落着いた排海水放出方法の発見となる。
【課題を解決するための手段】  今般申請の通りの「浮力緩衝海中海水侵入船中設置筒」は図２にて記した通り、僅かの排出圧にて簡単に外海へと継続排出となる。
常識で考えても酸素ボンベを背負った人間は軽々と海中移動をしており、例えば２０ｍ×２０ｍ×２０ｍの容器と強烈な浮力を押さえ乍ら海中５０ｍに沈めて、その中に人間が入り、充分な酸素供給を行なえば、充分に生活空間となる。
当然その海中空間容器内には水圧等は全く存在しない事となる。そして海上より直接連結設置がされた円筒を海中容器の中心に直径１０ｍの円形「浮力緩衝海水侵入船中設置筒」を設置をし、浮力を大幅に減退し、次に海上より水道ホースの接続を行ないそのホースの先をこの設置筒に接続を行なえば当然このホースからの深海外海への排出には何ら障害等が起こらない事は誰でも理解出来る事となる。
この自然界の働きを〔図２〕の通りの簡単な装置で数十回となく確認したものである。
【発明の効果】  本発明方法にて大容量排海水の外海排出が出現する事になれば従来の蒸気に依るタービン回転発電の温暖化負荷は殆んど無くなる事となり、一度排出流路が安定すれば、自然な排出流路が海中に出現し、四六時中安定した発電済排海水の循環排出となる。
又海中設置と同様に高さ５０ｍ×幅６０ｍ×長さ２００ｍ等の巨大な陸中空間を海岸近くに設置をし、海水の活用を行なえば、この巨大プール内での海水の還流活用は充分可能となり、より多くの海中発電が出現する事となり、本海中発電の発見は大切な新時代の技術の発見となる。
【図面の簡単な説明】
【図１】大容量排海水処理の為に「大気圧圏内空気排出噴出筒」の設置を行ない無尽蔵の空気の噴出活用を行ない、同時に巨大な「浮力緩衝海中海水侵入船中設置筒」の設置を行ない、強烈な浮力の解消と同時に各排出圧搾装置よりの排海水と大量の排出空気双方の外海放出の圧搾活動を行ない、その空気噴出圧と空気浮力双方の活用に依る排出圧を利用して、大量の排海水を外海へと排出さす詳細図である。
【図２】水鉄砲の原理の活用を確認する為に「水槽内水中空間創出筒」を設置し、僅かの排出圧でも充分な排海水の外海（水中）排出が可能である事と、同創出筒内への排出は大変軽快な排出である事を発見し、驚いたものであり、「水槽内水中空間創出筒」内への浸水後に於いての同筒内への排水の放出は、殆んど負荷の懸からない事を本装置に依り発見したものである。
【発明を実施するための形態】
〔図１〕大量の排海水をまず「深海水槽排出筒」で各「高圧空気噴出圧搾活用深海水槽」内に放出し、各々高圧空気の噴出に依る侵入浮力排出圧空間の増加に依り次々と外海へと排出される事となる。
そしてその排出完了後には大量に噴出排出された侵入浮力排出高圧空間の解消の為に「噴出空気圧排出調整筒」よりの空気の噴出を行ない瞬時に各排出水槽内の高圧空気が、大気圧圏内１気圧となり、次回分の排海水の準備となる。
次に別排出口である「船中設置筒内排出専用水槽」内の「排出回転筒」よりの継続された排海水が「浮力緩衝海中海水侵入船中設置筒に排出がなされ図１の通り各々に設置がされた「船中設置筒内圧搾排出調整各室」の活用を行ない、強烈な高圧空気の噴出排出を繰り返しながら、「高圧空気噴出緩衝海水放出装置」内と「排海水放出加圧放出装置」「排海水降下圧流放出口」各々への排出が繰り返される事となり、その排出空気圧の調整としては海上大気圏内１気圧空気が「大気圧圏内空気排出噴出筒」より各「噴出空気圧排出調整筒への調整稼動が行なわれ、常時安定した空気圧状態の出現となり、正に深海海中等とは無縁の落ちついた大自然海中の大容量海中発電船の出現となる。
〔図２〕本図内の「水槽内水中空間創出筒」の設置に依る強烈な浮力の大幅な軽減と「水槽内水中空間創出筒」内への水鉄砲の簡単な圧搾水圧でも充分な排出が可能である為に、継続された大気圧圏内１気圧空間の空気の活用を発見したものであり、この無限量に存在する空気の圧搾排出活動を行ない、「水槽内水中空間創出筒」に排水と一諸に放出を行なえば必ず継続された排水の処理活動の継続が出現する事となる。
【図１】
2015078684.tif 000003
【図２】
2015078684.tif 000004